(57)【特許請求の範囲】
【請求項１】
内部に開口が画成される矩形の枠体：前記開口を開閉するために前記枠体内に引き違い式に移動可能に装架された第１障子および第２障子：第１シュー、第２シューおよびモータを備え、伝達機構を介して伝えられた前記モータの回転トルクにより、前記第１シューおよび前記第２シューが、夫々、前記第１障子および前記第２障子と平行に且つ同一方向に移動するようにした駆動機構：前記第１シューと前記第１障子の所定の部位とを手動操作で係脱する第１係脱機構：ならびに前記第２シューと前記第２障子の所定の部位とを手動操作で係脱する第２係脱機構を備え、前記第１係脱機構は前記第１障子の下枠に枢支された第１レバーに植設された第１ピンと前記第１シューに形成されて前記第１ピンと係脱する上方開口の切り欠きとからなり、前記第２係脱機構は前記第２障子の下枠に枢支された第２レバーに植設された第２ピンと前記第２シューに形成されて前記第２ピンと係脱する上方開口の切り欠きとからなる、電動サッシ。
【請求項２】
前記第１レバーと前記第１障子との間に介設された第１ターンオーバスプリングにより、前記第１ピンの係脱の各位置が保持され、前記第２レバーと前記第２障子との間に介設された第２ターンオーバスプリングにより、前記第２ピンの係脱の各位置が保持されるようにした、請求項１記載の電動サッシ。
【請求項３】
前記第１係脱機構の第１レバーおよび前記第２係脱機構の第２レバーの内の少なくとも一方と、これに対応する障子の下枠との間にスペーサーが介装されている、請求項１記載の電動サッシ。
【請求項４】
前記第１係脱機構の第１ピンが前記第１シューシューの切り欠きと非係合であるとき、前記第１ピンを、前記枠体から延出するレバーと係合するようにした、請求項１記載の電動サッシ。
【請求項５】
前記伝達機構にクラッチ機構を設け、前記第１シューおよび前記第２シューの何れかに過負荷が作用したときに、前記クラッチ機構によりすべりが発生し、前記第１シューおよび前記第２シューへの所定値以上のトルク伝達を制限するようにした、請求項１記載の電動サッシ。
【請求項６】
前記第１障子の縦枠および前記縦枠に対応する前記第２障子の縦枠に夫々フックを設け、前記第１障子および前記第２障子が閉じ位置にあるときに、前記縦枠を相互に引き寄せるようにした、請求項１記載の電動サッシ。
【請求項７】
前記第１レバーと前記第１障子との間に介設された第１ターンオーバスプリングにより付勢された前記第１ピンが、前記第１障子の閉方向過程において、前記第１シューシューのカム面方向に乗りあげた後に、前記切り欠きと係合するようにした、請求項１記載の電動サッシ。
【請求項８】
前記第１係脱機構は前記第１障子の下枠に枢支された第１レバーに植設された第１ピンと前記第１シューに枢支され且つバネにより前記第１障子の閉方向に付勢されて前記第１シュー上の所定位置に保持される保持部材と前記保持部材に形成されて前記第１ピンと係脱する上方開口の切り欠きとからなり、前記第２係脱機構は前記第２障子の下枠に枢支された第２レバーに植設された第２ピンと前記第２シューに枢支され且つバネにより前記第２障子の閉方向に付勢されて前記第２シュー上の所定位置に保持される保持部材と前記保持部材に形成されて前記第２ピンと係脱する上方開口の切り欠きとからなる、請求項１記載の電動サッシ。
【請求項９】
前記第１障子が閉位置にあるとき前記枠体の第１側に固定されて前記第１障子が屋外側から開方向に偏移されようとしたときに前記第１保持部材の回動を阻止する第１固定部材および前記第２障子が閉位置にあるとき前記枠体の第２側に固定されて前記第２障子が屋外側から開方向に偏移されようとしたときに前記第２保持部材の回動を阻止する第２固定部材を備えた、請求項８記載の電動サッシ。
【請求項１０】
前記第１固定部材および前記第２固定部材は、夫々、前記第１シューおよび前記第２シューのストッパを兼ねている、請求項９記載の電動サッシ。
【請求項１１】
前記枠体側から前記第１係脱機構側に延在する固定部および前記固定部の先端部にスプリングを介して装架された可動部とからなるレバーを備え、前記第１係脱機構が前記第障子の閉位置に対応する位置にあるとき、前記第１ピンが前記第１切り欠きから離脱するとき前記第１ピンが前記可動部を前記スプリングの付勢力に抗して押し上げ、その後、前記スプリングの付勢力により原位置に復帰した可動部上に前記第１ピンが支持されるようにしてなる、請求項８記載の電動サッシ。
【請求項１２】
前記第１係脱機構は前記第１障子の下枠に固定された第１本体部、前記第１本体部に沿って設けられた固定突起および脱着可能突起との間に画成された第１溝ならびに前記第１シュー側から前記第１溝内に延在する第１ピンを備え、前記第２係脱機構は前記第２障子の下枠に固定された第２本体部、前記第２本体部に沿って設けられた固定突起および脱着可能突起との間に画成された第２溝ならびに前記第２シュー側から前記第２溝内に延在する第１ピンを備えた、請求項１記載の電動サッシ。
【発明の詳細な説明】
【０００１】
【発明の属する利用分野】
本発明は、電動サッシに関するものである。
【０００２】
【従来の技術】
従来の電動サッシ、例えば、特開昭６３−１４９７８号公報に開示されたものにおいては、引き違い式の１対の障子がモータにより駆動される駆動機構により、開閉されるようになっている。
【０００３】
【発明が解決しようとする課題】
ところが、上記した電動サッシは、１対の障子が同時に開閉されるため、一方の障子を開けたくない場合、例えば、一方の障子がコンロの前面に位置する場合、採用することが出来ない。
【０００４】
それ故に、本発明は、かかる事情に鑑み、一方の障子を駆動機構から解放できるようにした電動サッシを提供することを、技術的課題とするものである。
【０００５】
【課題を解決するための手段】
上記技術的課題を解決するために請求項１記載の発明において講じた技術的手段は、内部に開口が画成される矩形の枠体、前記開口を開閉するために前記枠体内に引き違い式に移動可能に装架された第１障子および第２障子：第１シュー、第２シューおよびモータを備え、伝達機構を介して伝えられた前記モータの回転トルクにより、前記第１シューおよび前記第２シューが、夫々、前記第１障子および前記第２障子と平行に且つ同一方向に移動するようにした駆動機構：前記第１シューと前記第１障子の所定の部位とを手動操作で係脱する第１係脱機構：ならびに前記第２シューと前記第２障子の所定の部位とを手動操作で係脱する第２係脱機構を備えた電動サッシを構成したことである。
【０００６】
しかも、請求項１記載の電動サッシにおいては、前記第１係脱機構は前記第１障子の下枠に枢支された第１レバーに植設された第１ピンと前記第１シューに形成されて前記第１ピンと係脱する上方開口の切り欠きとからなり、前記第２係脱機構は前記第２障子の下枠に枢支された第２レバーに植設された第２ピンと前記第２シューに形成されて前記第２ピンと係脱する上方開口の切り欠きとからなるようにしたことである。
【０００７】
上記技術的課題を解決するために請求項２記載の発明において講じた技術的手段は、請求項２記載の電動サッシにおいて、前記第１レバーと前記第１障子の下枠との間に介設された第１ターンオーバスプリングにより、前記第１ピンの係脱の各位置が保持され、前記第２レバーと前記第２障子の下枠との間に介設された第２ターンオーバスプリングにより、前記第２ピンの係脱の各位置が保持されるようにしたことである。
【０００８】
上記技術的課題を解決するために請求項３記載の発明において講じた技術的手段は、請求項１記載の電動サッシにおいて、前記第１係脱機構の第１レバーおよび前記第２係脱機構の第２レバーの内の少なくとも一方と、これに対応する障子の下枠との間にスペーサーが介装させたことである。
【０００９】
上記技術的課題を解決するために請求項４記載の発明において講じた技術的手段は、請求項１記載の電動サッシにおいて、前記第１係脱機構の第１ピンが前記第１シューシューの切り欠きと非係合であるとき、前記第１ピンを、前記枠体から延出するレバーと係合するようにしたことである。
【００１０】
上記技術的課題を解決するために請求項５記載の発明において講じた技術的手段は、請求項１記載の電動サッシにおいて、前記伝達機構にクラッチ機構を設け、前記第１シューおよび前記第２シューの何れかに過負荷が作用したときに、前記クラッチ機構によりすべりが発生し、前記第１シューおよび前記第２シューへの所定値以上のトルク伝達を制限するようにしたことである。
【００１１】
上記技術的課題を解決するために請求項６記載の発明において講じた技術的手段は、請求項１記載の電動サッシにおいて、前記第１障子の縦枠および前記縦枠に対応する前記第２障子の縦枠に夫々フックを設け、前記第１障子および前記第２障子が閉じ位置にあるときに、前記縦枠を相互に引き寄せるようにしたことである。
【００１２】
上記技術的課題を解決するために請求項７記載の発明において講じた技術的手段は、請求項１記載の電動サッシにおいて、前記第１レバーと前記第１障子との間に介設された第１ターンオーバスプリングにより付勢された前記第１ピンが、前記第１障子の閉方向過程において、前記第１シューシューのカム面方向に乗りあげた後に、前記切り欠きと係合するようにしたことである。
【００１３】
上記技術的課題を解決するために請求項８記載の発明において講じた技術的手段は、請求項１記載の電動サッシにおいて、前記第１係脱機構は前記第１障子の下枠に枢支された第１レバーに植設された第１ピンと前記第１シューに枢支され且つバネにより前記第１障子の閉方向に付勢されて前記第１シュー上の所定位置に保持される保持部材と前記保持部材に形成されて前記第１ピンと係脱する上方開口の切り欠きとからなり、前記第２係脱機構は前記第２障子の下枠に枢支された第２レバーに植設された第２ピンと前記第２シューに枢支され且つバネにより前記第２障子の閉方向に付勢されて前記第２シュー上の所定位置に保持される保持部材と前記保持部材に形成されて前記第２ピンと係脱する上方開口の切り欠きとからなるようにしたことである。
【００１４】
上記技術的課題を解決するために請求項９記載の発明において講じた技術的手段は、請求項８記載の電動サッシにおいて、前記第１障子が閉位置にあるとき前記枠体の第１側に固定されて前記第１障子が屋外側から開方向に偏移されようとしたときに前記第１保持部材の回動を阻止する第１固定部材および前記第２障子が閉位置にあるとき前記枠体の第２側に固定されて前記第２障子が屋外側から開方向に偏移されようとしたときに前記第２保持部材の回動を阻止する第２固定部材を備えるようにしたことである。
【００１５】
上記技術的課題を解決するために請求項１０記載の発明において講じた技術的手段は、請求項９において、前記第１固定部材および前記第２固定部材は、夫々、前記第１シューおよび前記第２シューのストッパを兼ねているようにしたことである。
【００１６】
上記技術的課題を解決するために請求項１１記載の発明において講じた技術的手段は、請求項８において、前記枠体側から前記第１係脱機構側に延在する固定部および前記固定部の先端部にスプリングを介して装架された可動部とからなるレバーを備え、前記第１係脱機構が前記第障子の閉位置に対応する位置にあるとき、前記第１ピンが前記第１切り欠きから離脱するとき前記第１ピンが前記可動部を前記スプリングの付勢力に抗して押し上げ、その後、前記スプリングの付勢力により原位置に復帰した可動部上に前記第１ピンが支持されるようにしたことである。
上記技術的課題を解決するために請求項１２記載の発明において講じた技術的手段は、請求項１において、前記第１係脱機構は前記第１障子の下枠に固定された第１本体部、前記第１本体部に沿って設けられた固定突起および脱着可能突起との間に画成された第１溝ならびに前記第１シュー側から前記第１溝内に延在する第１ピンを備え、前記第２係脱機構は前記第２障子の下枠に固定された第２本体部、前記第２本体部に沿って設けられた固定突起および脱着可能突起との間に画成された第２溝ならびに前記第２シュー側から前記第２溝内に延在する第１ピンを備えるようにしたことである。
【００１７】
【作用および効果】
上記した第１の構成においては、第１係脱機構（第２係脱機構）をして第１障子（第２障子）とモータにより駆動される駆動機構の第１シュー（第２シュー）との間の係脱関係を適宜選択し、第１障子（第２障子）の移動を手動でも電動でも思いのまま行うことができる。
【００１８】
しかも、上記した第１の構成においては、第１係脱機構（第２係脱機構）の主要な構成要件をピンとなし、このピンが対応するシューに形成された上方開口の切り欠きと係脱するようにしているので、第１係脱機構（第２係脱機構）の構成を簡単にすることができる。そして、ピンは切り欠きに沿って偏移可能なので、障子の立て付けの悪さにも対応できる。
【００１９】
上記した第２の構成においては、第１係脱機構（第２係脱機構）のピンをターンスプリングを用いて係脱の各位置に確実に保持できるようにしたので、作動の完全性を確保できる。
【００２０】
上記した第３の構成においては、第１障子（第２障子）の枠の変更に伴う第１障子（第２障子）と対応するシューとの間の距離の変動は、スペーサを取り替えるだけで対応できる。また、スペーサをストッパとして使うことができる。
【００２１】
上記した第４の構成においては、第２障子のみを電動操作する場合の第１障子の枠体への固定を図ることにより、第１障子が室外から開かれることがないようにすることができる。
【００２２】
上記した第５の構成においては、第１障子（第２障子）が電動操作で移動中に過負荷が作用した場合に第１障子（第２障子）が停止するので、その毀損や第１障子（第２障子）と枠体との間に挟まれた身体の一部の損傷を予防することができる。
【００２３】
上記した第６の構成においては、第１障子の縦枠と第２障子の縦枠とが密着することにより両者間の気密性が保たれ、従来のようなクレッセントを廃止することができる。
【００２４】
上記した第７の構成においては、第１レバーと第１障子との間に介設された第１ターンオーバスプリングにより付勢された第１ピンが、第１障子の閉方向過程において、第１シューシューのカム面方向に乗りあげた後に、前記切り欠きと係合するようにしたので、第１障子の全閉と同時に、第１障子が自動的にロックされることになる。
【００２５】
上記した第８の構成においては、第１シュー（第２シュー）が第１障子（第２障子）と一体的に閉じ方向に移動中に第１障子（第２障子）と枠体との間に障害物が存在した場合、例えば、身体の一部が挟まれた場合、停止しようとする第１障子側の第１ピン（第２障子側の第２ピン）と移動し続ける第１シュー側の第１保持部材（第２シュー側の第２保持部材）との係合が、第１保持部材（第２保持部材）が回動することにより解除され、結局、第１障子（第２障子）が停止して身体の一部への挟圧が加わることがない。
【００２６】
上記した第９の構成においては、第１固定部材（第２固定部材）が閉位置にある第１障子（第２障子）を不動ならしめるので、第１障子（第２障子）が屋外から開放されることがない。
【００２７】
上記した第１０の構成においては、第１固定部材（第２固定部材）は第１シュー（第２シュー）のストッパを兼ねているので、全体として、部品点数の減少に寄与できる。
【００２８】
上記した第１１の構成においては、第１ピンは、第１障子を動かさずして、上方に偏移してレバーにて支持されるので、第１シューと第１障子との連係を容易に遮断することができ、操作の簡易化を図ることができる。
【００２９】
【発明の実施の形態】
以下、本発明に係る電動サッシの実施形態を添付図面にもとづいて、詳細に説明する。
【００３０】
図１ないし図４において、矩形の枠体１０は、右側の縦枠１１、左側の縦枠１２、右側の縦枠１１の上端部と左側の縦枠１２の上端部とを連結する上側の横枠１３および右側の縦枠１１の下端部と左側の縦枠１２の下端部とを連結する下側の横枠１４を備える。かように構成された枠体１０は、内部に、開口１５が画成される。しかして、枠体１０の開口１５を開閉するために、周知のように、枠体１０内には、引き違い式に、第１障子１６および第２障子１７が移動可能に装架されている。
【００３１】
枠体１０の室内側（図１ないし図４の手前側）には、第１障子１６および／または第２障子１７を自動的に開閉する駆動装置２０が配設けられている。駆動装置２０は、枠体１０の下側の横枠１４と平行に延在する基板２１を備える。基板２１には、互いに平行をなす第１溝２２および第２溝２３が形成されており、第１溝２２（第２溝２３）には、第１シュー２４（第２シュー２５）が滑動可能に装架されている。
【００３２】
第１シュー２４（第２シュー２５）は、第１ギャードケーブル２６Ａ（第２ギャードケーブル２６Ｂ）と一体的に連結されている。しかして、第１ギャードケーブル２６Ａおよび第２ギャードケーブル２６Ｂの双方は、両者間に配設されたギャー２７と噛合しており、ギャー２７は、クラッチ機構２８を介して、電動モータ２９と連結されている。かくして、電動モータ２９が一方向（他方向）に回転した場合、第１シュー２４と第２シュー２５とは近接するように（離反するように）移動することになる。
【００３３】
第１障子１６の下枠１６ａには第１係脱機構３０が装架されており、この第１係脱機構３０により、第１障子１６と第１シュー２４との間の係脱関係が司られるようになっている。すなわち、図１および図３に示されるように、第１障子１６の下枠１６ａには、第１係脱機構３０の基体３１が１対のピン３２（一方のみ図示）により固定されている。基体３１には、レバー３３の軸部３３ａが枢支されており、図３に示す状態においては、レバー３３の従動部３３ｂに植設されたピン３４が、第１シュー２４に形成された上方開口の切り欠き部２４ａ内に位置している。
【００３４】
また、図２に示すように、第２障子１７の下枠１７ａには、第２係脱機構４０の基体４１が１対のピン（図示略）により固定されている。基体４１には、レバー４３の軸部４３ａが枢支されており、図１および図２に示す状態においては、レバー４３の従動部４３ｂに植設されたピン４４が、第２シュー２５に形成された上方開口の切り欠き部２５ａ内に位置している。第２係脱機構４０は、第１係脱機構３０と同じような構成を備え且つ同じような作用を営むが、構成・作用の点において、両者は対称となっている。図２から明らかように、基体４１と第２障子１７の下枠１７ａとの間にスペーサ４５が介装されている。スペーサ４５の厚みを適宜変更することにより、第２シュー２５と第２障子１７の下枠１７ａとの間の距離の変化に対応することができるようになっている。
【００３５】
この状態で、第１シュー２４と第２シュー２５とが近接方向に駆動されると、つまり、第１シュー２４および第２シュー２５が、夫々、左方向および右方向に移動すると、図５に示されるように、第１シュー２４および第２シュー２５が、夫々、第１障子１６および第２障子１７と一体的に移動する。かくして、第１障子１６および第２障子１７が、自動的に開かれる。なお、第１障子１６および第２障子１７の停止位置は、使用者が作動スイッチを離した時点で決定される。また、左方向へ移動中の第１障子１６の左側の縦枠１６ｂが、右方向へ移動中の第２障子１７と一体のスペーサ４５と係合すると、第１障子１６は更なる左方向への移動が阻止される。この阻止は、過負荷としてクラッチ機構２８に作用するが、かような過負荷が生じた場合、クラッチ機構２８にすべりが発生するようになっており、更なるトルク伝達が抑制されている。尚、かような作用を営むクラッチ機構２８は、既に周知のものとなっている。また、過負荷は、第１障子１６（第２障子１７）と枠体１０との間に物体や身体の一部が挟まれた場合においても惹起されるが、このような場合も、同様なトルク伝達の抑制がなされる。
【００３６】
レバー３３の従動部３３ｂに植設されたピン３４と第１シュー２４に形成された上方開口の切り欠き部２４ａとの係合は、図３に明瞭に理解されるように、基体３１とレバー３３との間に介設されたターンオーバスプリング３７により維持されている。しかして、レバー３３の操作部３３ｃを反時計方向に所定の角度だけ回動させると、図４に示されるように、ピン３４は第１シュー２４の切り欠き部２４ａから排出ないし抜き出されて、第１シュー２４のカム面２４ｂ上に位置するようになる。その後、レバー３３の操作部３３ｃを、更に反時計方向に回動させると、ターンオーバスプリング３７の作用により、図６に示される、ピン３４は第１シュー２４のカム面２４ｂから離れた位置に保持されるようになっている。この状態が齎された後、第２障子１７を静止させたまま、第１障子１６を、手動操作で、左方向に移動させて開くことができる。また、図８に示すように、第１障子１６を静止させたまま、第２障子１７のみを、電動操作で、左方向に移動させて開閉することができる。
【００３７】
尚、手動操作で第１障子１６を閉じた後に、再度、図３に示されるような状態に復帰させるためには、２つの方法がある。一の方法は、再度、手動操作で第１障子１６を閉じて、図６に示される状態を実現した後に、レバー３３の操作部３３ｃを少しだけ時計方向に付勢し、後はターンオーバスプリング３７の作用により、レバー３３を時計方向に付勢させるようにすることである。他の方法は、手動操作で第１障子１６を閉じる前に、レバー３３の操作部３３ｃを時計方向に付勢して、ターンオーバスプリング３７の作用により、ピン３４を第１シュー２４のカム面２４ｂに対向させておく。しかる後に、第１障子１６を閉じて、その過程で、図７に示されるように、ピン３４を第１シュー２４のカム面２４ｂに乗りあげさせた後に、ピン３４を第１シュー２４の切り欠き部２４ａ内に落と込ませても良い。
【００３８】
図９に示すように、第１障子１６の左側の縦枠１６ｂの外端面と第２障子１７の右側の縦枠１７ｂの内端面との間には、気密保持機構６０が設けられている。すなわち、第１障子１６の左側の縦枠１６ｂの外端面には、先端部が下方に延在するようにＬ字型に形成されたフック６１が固定されている。また、第２障子１７の右側の縦枠１７ｂの内端面には、フック６１と係合するフック６２が形成されている。この係合により、第１障子１６の左側の縦枠１６ｂを室外方向（図９の左側方向）に、第２障子１７の右側の縦枠１７ｂとを室内方向（図９の右側方向）に、夫々引き寄せられて、第１障子１６の左側の縦枠１６ｂと第２障子１７の右側の縦枠１７との間の気密性が確保されるようになっている。尚、第１障子１６および／または第２障子１７の閉位置への復帰時にフック６１とフック６２とが円滑に係合するように、フック６２の先端部が曲面をなす先細り状となっている。
【００３９】
図１０にロック機構７０を示す。図８に示すように、第１障子１６を静止させたまま、第２障子１７のみを、電動操作で開閉する場合、第１障子１６は、手動で移動できる状態にある。特に、コンロおよびシンクの前に、夫々、第１障子１６および第２障子１７が位置する場合、かような形態がとられる。この場合、室外から第１障子１６が開かれる虞があるので、ロック機構７０が設けられている。すなわち、枠体１０の右側の縦枠１１にはアーム７１が固定されており、このアーム７１は左方向に突出している。レバー７１の先端部には、上方開口の切り欠き７２が形成されており、この切り欠き７２は、第１障子１６が全閉時の第１シュー２４の切り欠き部２４ａと略同一の鉛直線上に位置するようになっている。そして、ピン３４が切り欠き７２内に係合することにより、第１障子１６は枠体１０の右側の縦枠１１にロックされることになる。
【００４０】
図１０に示される状態がいかにして齎されるかを説明する。ピン３４は最初は第１シュー２４の切り欠き部２４ａ内に位置している。この状態から、モータ２９を駆動して第１シュー２４を若干左方向に移動させて、第１障子１６を開放する。そこで、レバー３３を反時計方向に回動させてピン３４を第１シュー２４の切り欠き部２４から排出させた後に、レバー３３をその位置を保持させながら、第１障子１６を右方向に移動させて閉じると、ピン３４がカム７２に乗りあげた後にガイドされて、切り欠き７２と係合する。かくして、図１０に示す状態が実現する。
【００４１】
図１１および図１２には、改良された第１係脱機構３０が示される。第１障子の下枠に固定された基体３１には、第１レバー３３が枢支されている。第１レバー３３に植設された第１ピン３４は、第１障子１６が全閉位置にある場合（図１１）、ターンオーバスプリング３７の作用により、保持部材２４１に形成された上方開口の切り欠き２４１ａと係合している。しかして、保持部材２４１は第１シュー２４に枢支されており、且つ、バネ２４２により、常時時計方向に付勢されているが、図１１に示される状態下、保持部材２４１のアーム部２４１ｂは、第１シュー２４の上面と固定部材２５０の突出部２５０ａとの間に挟まれるようになっている。この挟持された状態が保持される限り、第１障子が屋外から開放されんとして基体３１が左方向に付勢されても、保持部材２４０の回動が阻止されて、第１ピン３４と切り欠き２４１ａとの係合が維持される。かくして、第１障子の屋外からの開放が阻止され、防犯上、優れた効果を奏する。
【００４２】
また、第１シュー２４が第１障子と一体的に閉じ方向に移動中の第１障子と枠体との間に障害物が存在した場合、例えば、身体の一部が挟まれた場合、停止しようとする第１障子の第１ピン３４と移動し続ける第１シュー２４側の第１保持部材２４０の切り欠き２４０ａとの係合が、図１２に示されるように、第１保持部材２４０が反時計方向に回動することにより解除され、結局、第１障子が停止して身体の一部への挟圧が加わることがない。
【００４３】
図１３ないし図１６において示されるロック機構７０は、図１０のロック機構の改良に係るものである。図１３および図１４において、枠体１０側から第１係脱機構３０にはレバー７１の固定部７１ａが延在している。固定部７１ａの先端部には、スプリング８０を介して可動部７１ｂが装架されている。図１３および図１４が示す状態つまり第１障子１６が閉位置にあるとき、レバー３３を反時計方向に回動すると、第１ピン３４が第１切り欠き２４ａから離脱し、第１ピン３４が可動部７０ｂをスプリング８０の付勢力に抗して押し上げる（図１５）。その後、更にレバー３３を反時計方向に回動すると、スプリング８０の付勢力により可動部７０ｂが原位置に復帰し（図１６）、そして、可動部７０ｂ上に第１ピン３４が支持される（図１７）。しかして、図１６に示される状態は、ターンオーバスプリング３７の作用により維持されるが、この下においては、第１係脱機構３０は、第１障子１６を第１シュー２４から解放しているので、第１障子１６を屋内側・屋外側から自由に手動で開閉することができる。また、図１７に示す状態の下においては、第１障子１６は第１シュー２４から解放されると共に枠体１０側の固定のレバー７０に連結されているので、第１障子１６はロック状態となり、図示されない第２障子の開閉に影響されずに、閉状態が保持される。
【００４４】
図１８に示されるように、第１障子１６の下枠１６ａには基体３１が固定されており、基体３１には、その延在位に沿って、固定突起９１および脱着可能突起９２が設けられている。しかして、その間に画成された第１溝９３には第１シュー２４側から突出する第１ピン３４が係合している。図１９に示されるように、脱着可能突起９２は、基体３１に対してフック係合となっている。かような第１障子１６は自動開閉される。
【００４５】
図２０に示されるように、第２障子１７の下枠１７ａにはスペーサ４５を介して基体４１が固定されており、基体４１には、固定突起９１が設けられている。基体４１は、基体３１から脱着可能突起９２を除去したものを対称的に設置したものである。しかして、基体４１の固定突起９１には、第２シュー２５側から突出する第２ピン４４が係合している。かような第２障子１７はロックされた状態に保持され、屋内側・屋外側からの開放が阻止される。
【図面の簡単な説明】
【図１】本発明の電動サッシの正面図である。
【図２】第２係脱機構の近傍を示す斜視図
【図３】第１係脱機構の係合状態を示す正面図である。
【図４】第１係脱機構の非係合状態となった直後の正面図である。
【図５】第１障子および第２障子が開かれた状態を示す正面図である。
【図６】第１ピンが第１シューカムから離れた状態を示す図である。
【図７】第１ピンが第１シューカムの上にある状態を示す図である。
【図８】第２障子のみを電動操作して開いた状態を示す正面図である。
【図９】第１障子の縦枠と対応する第２障子の縦枠とが引き寄せられた状態を示す斜視図である。
【図１０】第２障子のみを電動操作する際に第１障子を枠体に固定する状態を示す正面図である。
【図１１】図３に示す第１係脱機構の改良例を示す側面図である。
【図１２】図１１に示す第１係脱機構の作動説明図である。
【図１３】図１０に示す構成の変形例を示す図である。
【図１４】図１３に示す構成において第１ピンが第１シュー側の切り欠きと係合している状態を示す図である。
【図１５】図１３に示す構成において第１ピンがレバーの可動部を持ち上げている状態を示す図である。
【図１６】図１３に示す構成において第１ピンがレバーの可動部より上側に位置している状態を示す図である。
【図１７】図１３に示す構成において第１ピンがレバーの可動部と係合している状態を示す図である。
【図１８】第１係合機構の簡素化された例を示す斜視図である。
【図１９】図１８に示される装置に使用される基体に分解斜視図である。
【図２０】第２係合機構の簡素化された例を示す斜視図である。
【符号の説明】
１０ 枠体
１６ 第１障子
１７ 第２障子
２４ 第１シュー
２４ａ 切り欠き
２５ 第２シュー
２５ａ 切り欠き
２６Ａ 第１ワイヤ（伝達機構）
２６Ｂ 第２ワイヤ（伝達機構）
２７ ギャー（伝達機構）
２８ クラッチ機構
２９ モータ
３０ 第１係脱機構３０
３３ レバー（第１レバー）
３４ ピン（第１ピン）
３７ ターンオーバスプリング（第１ターンオーバスプリング）
４０ 第２係脱機構
４３ レバー（第２レバー）
４４ ピン（第２ピン）
４７ ターンオーバスプリング（第２ターンオーバスプリング）
【図１】
0003796917.tif 000002
【図２】
0003796917.tif 000003
【図３】
0003796917.tif 000004
【図４】
0003796917.tif 000005
【図５】
0003796917.tif 000006
【図６】
0003796917.tif 000007
【図７】
0003796917.tif 000008
【図８】
0003796917.tif 000009
【図９】
0003796917.tif 000010
【図１０】
0003796917.tif 000011
【図１１】
0003796917.tif 000012
【図１２】
0003796917.tif 000013
【図１３】
0003796917.tif 000014
【図１４】
0003796917.tif 000015
【図１５】
0003796917.tif 000016
【図１６】
0003796917.tif 000017
【図１７】
0003796917.tif 000018
【図１８】
0003796917.tif 000019
【図１９】
0003796917.tif 000020
【図２０】
0003796917.tif 000021